(57)【特許請求の範囲】
【請求項１】
第一の表示装置と第二の表示装置を制御する放射線撮影制御装置であって、
透視撮影中に順次得られる放射線動画像を取得し、記憶部の第一の領域に記憶させる記憶処理手段と、
取得された放射線動画像を前記第一の表示装置に表示させるとともに、前記取得された放射線動画像を保存する指示をするためのＧＵＩを前記第二の表示装置に表示させる表示制御手段と、を有し、
前記記憶処理手段は、前記ＧＵＩを介した保存の指示に応じて前記放射線動画像を前記記憶部の第二の領域に保存する処理と、他の特定の撮影を引き続き行う指示に応じて前記放射線動画像を前記記憶部の第一の領域から削除する処理と、を実行し、
前記ＧＵＩは、前記放射線動画像の複数フレームを保存する指示をするための第一のＧＵＩと、前記放射線動画像の特定フレームの画像を保存する指示をするための第二のＧＵＩと、を含むことを特徴とする放射線撮影制御装置。
【請求項２】
第一の表示装置と第二の表示装置を制御する放射線撮影制御装置であって、
透視撮影中に順次得られる放射線動画像を取得し、記憶部の第一の領域に記憶させる記憶処理手段と、
取得された放射線動画像を前記第一の表示装置に表示させるとともに、前記取得された放射線動画像を保存する指示をするためのＧＵＩを前記第二の表示装置に表示させる表示制御手段と、を有し、
前記記憶処理手段は、前記ＧＵＩを介した保存の指示に応じて前記放射線動画像を前記記憶部の第二の領域に保存する処理と、他の特定の撮影を引き続き行う指示に応じて前記放射線動画像を前記記憶部の第一の領域から削除する処理と、を実行し、
前記表示制御手段は、第一のオペレーティングシステムが動作し、前記第一の表示装置を制御する第一の制御部と、前記第一のオペレーティングシステムとは異なる第二のオペレーティングシステムが動作し、前記第二の表示装置を制御する第二の制御部と、を有することを特徴とする放射線撮影制御装置。
【請求項３】
前記表示制御手段は、前記透視撮影が終了することに応じて前記放射線動画像を保存する指示をするためのＧＵＩを表示させることを特徴とする請求項１又は２に記載の放射線撮影制御装置。
【請求項４】
前記第一の制御部では、リアルタイムＯＳが前記第一のオペレーティングシステムとして動作することを特徴とする請求項２に記載の放射線撮影制御装置。
【請求項５】
前記第二の制御部では、Ｗｉｎｄｏｗｓ（登録商標）ＯＳが前記第二のオペレーティングしシステムとして動作することを特徴とする請求項４に記載の放射線撮影制御装置。
【請求項６】
請求項１乃至５のいずれか１項に記載の放射線撮影制御装置と、
放射線を検出して放射線画像を生成する放射線検出器と、
を有することを特徴とする放射線撮影装置。
【請求項７】
請求項１乃至５のいずれか１項に記載の放射線撮影制御装置と、
放射線を検出して放射線画像を生成する放射線検出器と、
放射線を発生させる放射線発生装置と、
を有することを特徴とするＣアーム撮影装置。
【請求項８】
第一の表示装置と第二の表示装置を制御する放射線撮影制御装置の制御方法であって、透視撮影中に順次得られる放射線動画像を取得し、記憶部の第一の領域に記憶させるステップと、
取得された放射線動画像を前記第一の表示装置に表示させるとともに、前記取得された放射線動画像を保存する指示をするためのＧＵＩを前記第二の表示装置に表示させるステップと、
前記ＧＵＩを介した保存の指示に応じて前記放射線動画像を前記記憶部の第二の領域に保存する処理と、他の特定の撮影を引き続き行う指示に応じて前記放射線動画像を前記記憶部の第一の領域から削除する処理と、を実行するステップと、を有し、
前記ＧＵＩは、前記放射線動画像の複数フレームを保存する指示をするための第一のＧＵＩと、前記放射線動画像の特定フレームの画像を保存する指示をするための第二のＧＵＩと、を含むことを特徴とする放射線撮影制御装置の制御方法。
【請求項９】
第一の表示装置と第二の表示装置を制御する放射線撮影制御装置の制御方法であって、透視撮影中に順次得られる放射線動画像を取得し、記憶部の第一の領域に記憶させるステップと、
取得された放射線動画像を前記第一の表示装置に表示させるとともに、前記取得された放射線動画像を保存する指示をするためのＧＵＩを前記第二の表示装置に表示させるステップと、
前記ＧＵＩを介した保存の指示に応じて前記放射線動画像を前記記憶部の第二の領域に保存する処理と、他の特定の撮影を引き続き行う指示に応じて前記放射線動画像を前記記憶部の第一の領域から削除する処理と、を実行するステップと、を有し、
前記第一の表示装置の制御では、第一のオペレーティングシステムが動作し、前記第二の表示装置の制御では、前記第一のオペレーティングシステムとは異なる第二のオペレーティングシステムが動作することを特徴とする放射線撮影制御装置の制御方法。
【請求項１０】
請求項８又は９に記載の放射線撮影制御装置の制御方法を、コンピュータに実行させるためのプログラム。
【発明の詳細な説明】
【技術分野】
【０００１】
本発明は、撮影と透視を行うことが可能なＸ線透視撮影装置に関する。
【背景技術】
【０００２】
近年、Ｉ．Ｉ．（イメージインテンシファイア）の代わり、微細な固体撮像素子を二次元格子状に配置したＸ線検出装置を用い、透過したＸ線を電気信号に変換しデジタルデータとしてＸ線画像を得るＦＰＤ（Ｆｒａｔ  Ｐａｎｅｌ  Ｄｅｔｅｃｔｏｒ）を搭載したＸ線撮影装置が臨床の場で使われ始めている。ＦＰＤは撮像素子が二次元状に配列されているため歪みが少なく、また撮像素子が微細化できるため高解像度のＸ線画像を得ることができる。また、１つのＦＰＤを用いて、透視と撮影が可能なＸ線透視撮影装置が実用化されている。
【０００３】
そのような装置の中でも複数のモニタを備え、各モニタに異なる画像を表示する装置がある。特許文献１では、２つのモニタを有するＸ線透視撮影装置において、対象部位を１枚（静止画）または複数枚（デジタルシネ）撮影した画像または、保存した透視画像を第２のモニタに表示する。
【先行技術文献】
【特許文献】
【０００４】
【特許文献１】特開２００９−１１５７１号公報
【発明の概要】
【発明が解決しようとする課題】
【０００５】
しかしながら、従来のＸ線透視撮影装置では、第２のモニタで操作者の表示状態を変更して、透視または撮影を行った際に、撮影種別や第２モニタの表示状態に合わせて透視または撮影後の第２モニタの表示状態を最適に表示することができなかった。
【課題を解決するための手段】
【０００６】
本発明の放射線撮影制御装置は、第一の表示装置と第二の表示装置を制御する放射線撮影制御装置であって、透視撮影中に順次得られる放射線動画像を取得し、記憶部の第一の領域に記憶させる記憶処理手段と、取得された放射線動画像を前記第一の表示装置に表示させるとともに、前記取得された放射線動画像を保存する指示をするためのＧＵＩを前記第二の表示装置に表示させる表示制御手段と、を有し、前記記憶処理手段は、前記ＧＵＩを介した保存の指示に応じて前記放射線動画像を前記記憶部の第二の領域に保存する処理と、他の特定の撮影を引き続き行う指示に応じて前記放射線動画像を前記記憶部の第一の領域から削除する処理と、を実行し、前記ＧＵＩは、前記放射線動画像の複数フレームを保存する指示をするための第一のＧＵＩと、前記放射線動画像の特定フレームの画像を保存する指示をするための第二のＧＵＩと、を含むことを特徴とする放射線撮影制御装置。
【発明の効果】
【０００７】
本発明によれば、操作者が操作を行わなくても撮影種別、モニタの表示状態を加味し、撮影画像を自動的に一方のモニタに表示することが可能となる。
【図面の簡単な説明】
【０００８】
【図１】実施例１に係るＸ線透視撮影装置の概略構成図
【図２】第１モニタと第２モニタの表示状態（ＳｉｎｇｌｅＶｉｅｗ、ＭｕｌｔｉＶｉｅｗ、ＦｒａｍｅＶｉｅｗ）を示す図。
【図３】第２モニタの表示状態がＳｉｎｇｌｅＶｉｅｗである場合かつ表示切替モードである場合に、静止画撮影を行った場合の動作を示す図。
【図４】第２モニタの表示状態がＭｕｌｔｉＶｉｅｗである場合かつ表示切替モードである場合に、静止画撮影を行った場合の動作を示す図。
【図５】第２モニタの表示状態がＦｒａｍｅＶｉｅｗである場合かつ表示切替モードである場合に、静止画撮影を行った場合の動作を示す図。
【図６】第２モニタの表示状態がＳｉｎｇｌｅＶｉｅｗである場合かつ表示固定モードである場合に、静止画撮影を行った場合の動作を示す図。
【図７】第２モニタの表示状態がＭｕｌｔｉＶｉｅｗである場合かつ表示固定モードである場合に、静止画撮影を行った場合の動作を示す図。
【図８】第２モニタの表示状態がＦｒａｍｅＶｉｅｗである場合かつ表示固定モードである場合に、静止画撮影を行った場合の動作を示す図。
【図９】第２モニタの表示状態がＳｉｎｇｌｅＶｉｅｗである場合かつ表示切替モードである場合に、デジタルシネ撮影を行った場合の動作を示す図。
【図１０】第２モニタの表示状態がＭｕｌｔｉＶｉｅｗである場合かつ表示切替モードである場合に、デジタルシネ撮影を行った場合の動作を示す図。
【図１１】第２モニタの表示状態がＦｒａｍｅＶｉｅｗである場合かつ表示切替モードである場合に、デジタルシネ撮影を行った場合の動作を示す図。
【図１２】第２モニタの表示状態がＳｉｎｇｌｅＶｉｅｗである場合かつ表示固定モードである場合に、デジタルシネ撮影を行った場合の動作を示す図。
【図１３】第２モニタの表示状態がＭｕｌｔｉＶｉｅｗである場合かつ表示固定モードである場合に、デジタルシネ撮影を行った場合の動作を示す図。
【図１４】第２モニタの表示状態がＦｒａｍｅＶｉｅｗである場合かつ表示固定モードである場合に、デジタルシネ撮影を行った場合の動作を示す図。
【図１５】第２モニタの表示状態がＳｉｎｇｌｅＶｉｅｗである場合かつ表示切替モードである場合に、透視を行った場合の動作を示す図。
【図１６】第２モニタの表示状態がＭｕｌｔｉＶｉｅｗである場合かつ表示切替モードである場合に、透視を行った場合の動作を示す図。
【図１７】第２モニタの表示状態がＦｒａｍｅＶｉｅｗである場合かつ表示切替モードである場合に、透視を行った場合の動作を示す図。
【図１８】第２モニタの表示状態がＳｉｎｇｌｅＶｉｅｗである場合かつ表示固定モードである場合に、透視を行った場合の動作を示す図。
【図１９】第２モニタの表示状態がＭｕｌｔｉＶｉｅｗである場合かつ表示固定モードである場合に、透視を行った場合の動作を示す図。
【図２０】第２モニタの表示状態がＦｒａｍｅＶｉｅｗである場合かつ表示固定モードである場合に、透視を行った場合の動作を示す図。
【図２１】本発明のＸ線画像を表示する方法を示すフローチャート。
【図２２】透視撮影処理を示すフローチャート。
【図２３】第１モニタ表示処理を示すフローチャート。
【図２４】第２モニタ表示処理を示すフローチャート。
【図２５】透視画像保存処理を示すフローチャート。
【図２６】第２モニタにおける静止画表示処理を示すフローチャート。
【図２７】第２モニタにおけるデジタルシネ画像表示処理を示すフローチャート。
【図２８】第２モニタにおける透視画像表示処理を示すフローチャート。
【図２９】第２モニタにおける表示固定処理を示すフローチャート。
【図３０】実施例２に係るＸ線透視撮影装置の概略構成図。
【図３１】実施例３に係る静止画像処理のフローチャート。
【図３２】表示状態の遷移を示す表。
【発明を実施するための形態】
【０００９】
［実施例１］
以下、本発明の実施の形態について図面を用いて説明する。
【００１０】
図１には、実施形態に係る放射線撮影システムの一例であるＸ線透視撮影装置の概略構成が示されている。かかる放射線撮影システムとしては、被写体を動画または静止画撮影する放射線撮影システムがあり、例えば固定または可搬型のＣアーム撮影装置がある。
【００１１】
実施形態にかかるＸ線透視撮影装置は、Ｘ線照射により被写体を透視または撮影された画像をモニタなのどの表示手段に表示するものであり、パーソナルコンピュータなどにより制御されるものである。本発明のＸ線透視撮影装置は、どのようなＸ線透視撮影装置にも適用可能なものであるため、Ｘ線透視撮影装置の基本的な放射線源などの図示及び説明については省略し、本発明に係るＸ線透視撮影装置の構成についてのみ図示及び説明する。
【００１２】
１０２は、一般的なパーソナルコンピュータ（ＰＣ）から構成される制御部であり、放射線検出器の一例であるＸ線検出器１０１からＸ線画像を取得するＸ線画像取得部１０３、Ｘ線発生装置１００と静止画撮影、デジタルシネ撮影、透視の３種類を制御、それぞれの撮影種別に応じてＸ線発生装置１００及びＸ線検出器の制御を行う透視撮影制御部１０４、Ｘ線画像取得部１０３から得た画像をメモリまたはディスクへ記録する画像記憶部１０５、画像記憶部１０５のメモリまたはディスクから読み出した画像を公知の画像処理を行う画像処理部１０６、第１のモニタに画像表示を行う第１の表示制御部１０７、第２のモニタに画像表示を行う第２の表示制御部１０８などを備えている。以下、制御部１０２を単体の装置として構成する場合には制御部１０２を放射線撮影制御装置と呼称する。また放射線撮影制御装置と放射線検出器を合わせて放射線撮影装置と呼称することがある。さらには、放射線撮影装置と放射線発生装置とを合わせて放射線撮影システムと呼称することがある。
【００１３】
また、第一のモニタ１１１を制御する第一の表示制御部１０７と、第二のモニタ１１２を制御する第二の表示制御部１０８とを単一の表示制御ユニットとして実装することとしてもよい。また、第一のモニタ１１１と第二のモニタ１１２はハードウェアとしては単一のモニタとして構成し、そのうち第一の表示領域と第二の表示領域とに分けることとしても良い。
【００１４】
操作部１０９は、操作入力装置として、キーボードなどの各種デバイスが挙げられる。操作入力により、検査の開始、撮影条件制御などが行われる。表示部１１０は、第１のモニタ１１１と第２のモニタ１１２から成り、第１のモニタには、現在の透視または撮影画像が表示され、第２のモニタには過去の撮影画像と保存した透視画像が表示され、操作者による検査開始、終了、画像に対する画像処理、表示状態の変更を行うためのＧＵＩが備えられている。
【００１５】
Ｘ線画像取得部１０３は、透視撮影中に順次得られる放射線動画像を取得し画像記憶部１０５の第一の領域に記憶する。制御部１０２は、透視撮影中に順次得られる放射線動画像記憶部の第一の領域に記憶させる記憶処理部として機能する。第１の表示制御部１０７は、取得された放射線動画像を第一のモニタ１１１に表示させる。第二の表示制御部１０８は、取得された放射線動画像を保存する指示をするためのＧＵＩ１５０３を第二のモニタ１１２に表示させる。ＧＵＩ１５０３は例えば第二のモニタ１１２画面上に表示されたボタンであり、操作部１０９をユーザが操作して選択することにより、第一のモニタ１１１に表示された動画像を画像記憶部１０５に記憶させる指示信号を生成することができる。
【００１６】
制御部１０２の記憶処理部は、ＧＵＩ１５０３を介した保存の指示に応じて放射線動画像を画像記憶部１０５の第二の領域に保存する処理と、他の特定の撮影を引き続き行う指示に応じて放射線動画像をメモリ上から削除する処理と、を実行する。
【００１７】
本実施例では、画像記憶部１０５に撮影中の動画像を記憶する一時的なメモリ領域を第一の領域として設けたが、これに限らず、制御部１０２中の揮発メモリを用いることとすれば、記憶処理に要する時間を短縮させることができる。また、予め画像記憶部１０５の特定の領域に撮影中の放射線動画像を適宜記憶させ、画像保存の指示があった場合には保存させ、指示がないまま次の撮影に遷移したり、明示的な削除の指示が操作部１０９を介して入力されたり、あるいは撮影が終了されたりした場合には当該特定の領域に記憶された放射線動画像を削除する処理を行うこととすれば、一時的なメモリ領域や揮発メモリを用いる必要がなくなるというメリットがある。
【００１８】
第二の表示制御部１０８は、透視撮影が終了することに応じて放射線動画像を保存する指示をするためのＧＵＩ１５０３を表示させることができる。これにより、撮影時には撮影や参照画像の表示にモニタ領域を有効活用し、さらには撮影の終了時にＧＵＩ１５０３の表示処理を開始することでユーザへの通知の有効性を高めることができる。もちろん、予め透視を保存することが明らかな場合に対応して、第二の表示制御部１０８が撮影開始前、撮影開始時や撮影中にＧＵＩ１５０３を表示させることとすれば、保存処理を忘れてしまう可能性を低減させることができる。
【００１９】
第二の表示制御部１０８は、ＧＵＩ１５０３に、動画像全体の保存を指示するためのボタンと、動画像のラストイメージの保存を指示するためのボタンとを表示させることができる。これにより、ある期間の動きを把握したい場合には透視画像全体を保存させることができる。一方で、全体の画像を必要としない場合や必要なシーンが得られた時点で透視を停止する場合、透視撮影を適宜停止しながら停止時のフレーム画像を得ることを目的に撮影する場合に対応することができる。また低線量での透視撮影が可能となる。もちろん、ラストイメージのみならず、撮影中にボタンを選択することで適宜フレーム画像を取得できるようにする事も可能である。
【００２０】
上述の各部は、放射線制御装置１０２のハードウェアと、ＣＰＵにより実行されるソフトウェアプログラムとで実行させることができる。この場合のプログラムは、図１に示す制御部１０２の各部の機能を実行させ、第一のモニタ１１１及び第二のモニタ１１２に表示させるためのＧＵＩイメージを格納し、図２１乃至３１のフローチャートに記載の処理を実現するためのプログラムである。この場合、プログラムはＣＰＵにより実行されるとともに、同じくＣＰＵにより実行されるオペレーティングシステムの機能を利用しながら動作させることで、プログラムの規模を小さくすることができる。
【００２１】
ここで、プログラムにより実現される第一の表示制御部１０７を第一のオペレーティングシステム上で動作させ、第二の制御部１０８を第一のオペレーティングシステムとは異なる第二のオペレーティングシステム上で動作させることができる。ＯＳを分けることで、仮に片方のＯＳがダウンして使用不可能になったとしても、もう片方のＯＳがダウンしなければシステムとして続行可能となるため、放射線撮影システムの信頼性を向上させることができる。この場合、放射線制御装置１０２を１つの装置内で複数のＯＳが動作するようにしてもよいが、放射線制御装置１０２は２つの装置で構成されることとすれば、ハードウェア的にも信頼性を向上させることができる。さらに、第一のオペレーティングシステムをリアルタイムＯＳとすることで、透視撮影がダウンする可能性を大きく低減させることができる。一方で第二のオペレーティングシステムを例えばＷｉｎｄｏｗｓ（登録商標）ＯＳやＬｉｎｕｘ（登録商標）とすることで、ＧＵＩを充実させやすくなる。
【００２２】
透視と撮影が可能なＸ線透視撮影装置であって、Ｘ線画像を取得するＸ線画像取得手段と、取得したＸ線画像を保存する保存手段と、透視または撮影時に前記Ｘ線画像取得手段で得られた画像を第１のモニタに表示する第１の表示制御手段と、第２のモニタの表示状態に応じて第２のモニタ表示状態を制御する第２の表示制御手段を有する。
【００２３】
図２では、第１のモニタを２００として示しており、２０１が現在の透視または撮影画像が表示される画像表示領域である。Ｘ線透視撮影装置では、その用途から第１のモニタと第２のモニタに表示する画像の大きさを一致させる必要があるため、両方の画像領域を一致させている。第２のモニタには表示状態として、各撮影画像、保存した透視画像を画像表示領域２０３に表示するＳｉｎｇｌｅＶｉｅｗ２０２、各撮影画像、保存した透視画像の代表画像、通常はＬＩＨ（Ｌａｓｔ  Ｉｍａｇｅ  Ｈｏｌｄ画像）をそれぞれ視認しやすい大きさで表示するＭｕｌｔｉＶｉｅｗ２０６、デジタルシネ画像または保存した透視画像（動画）の全フレームをサムネイル表示するＦｒａｍｅＶｉｅｗ２０７を有する。それぞれの表示状態は、２０４によって選択することが可能である。また、２０５のコントロール領域には、撮影または保存した透視画像をサムネイル表示し、第２モニタ上で操作者が表示する画像を選択できるようになっている。
【００２４】
また、第２のモニタに特定の撮影または保存した透視画像を参照用として表示固定した状態で、透視または撮影を行うための表示固定モードがあり、撮影画像を撮影後に第２モニタに自動的に表示する表示切替モードのどちらかが選択可能である。
【００２５】
以下、図３〜２０を用いて、Ｘ線透視撮影装置の動作を説明する。
【００２６】
Ｘ線取得部１０１は、放射線撮影の指示に応じて撮影された放射線画像を放射線検出器から取得する。取得した放射線画像を第一の表示制御部１０７は第一の表示領域に表示させる。これは、第一のモニタ１１１であってもよい。制御部１０２は、第二の表示領域の表示形態を判定する。ここで表示形態には、第二の表示領域に単体の画像が表示されるＳｉｎｇｌｅＶｉｅｗ、複数の画像が並べて表示されるＭｕｌｔｉＶｉｅｗ、または動画像の全フレームまたは複数のフレームを表示させるＦｒａｍｅＶｉｅｗがある。表示形態が放射線動画像の複数のフレーム画像を並べて表示するＦｒａｍｅＶｉｅｗであると判定された場合には、第二の表示制御部１０８は、撮影の指示に応じて、指示に応じて撮影された放射線画像を表示させる表示へと表示を切り替える。これにより、動画のフレーム確認画面が表示されている際に、静止画撮影が行われた場合自動的に静止画の確認画面へと切り替えることができるため、ユーザは迅速に静止画像を確認することができる。
【００２７】
また制御部１０２により、表示形態が少なくとも複数の静止画像および／または動画像を表示するＭｕｌｔｉＶｉｅｗであると判定された場合には、第二の表示制御部１０８は第二のモニタ１１２の複数の静止画像に追加して取得した放射線画像の縮小画像を表示させる。これにより、適宜撮影される放射線画像を容易に並べて比較することができる。
【００２８】
また制御部１０２により、表示形態が静止画像を表示する表示形態であるＳｉｎｇｌｅＶｉｅｗであると判定された場合に、第二の表示制御部１０８は第二のモニタ１１２の静止画像に替えて取得した放射線画像を表示させる。これにより、別の静止画像が表示されていても、第二のモニタ１１２に適宜撮影される静止画像の表示へと自動的に表示を切り替えルことができるため、ユーザは容易に撮影された画像を迅速に確認することができる。
【００２９】
まず、静止画を撮影する場合の動作を説明する。
【００３０】
図３において、３０１は第２モニタの表示状態がＳｉｎｇｌｅＶｉｅｗ状態かつ表示切替モードであることを示している。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。撮影種別の判定（ステップＳ２２０４）により、画像記憶部１０５により画像を保存し（ステップＳ２２０５）、サムネイルを生成する（ステップＳ２２０７）。その後、第１モニタへ画像を表示する処理（ステップＳ２１０２）では、ステップＳ２３０１により撮影種別を判定後、画像処理部１０６により静止画用の画像処理を適用（ステップＳ２３０２）する。第１の表示制御部１０７は、ステップＳ２３０５により第２モニタの画像表示領域の大きさを取得し、第１モニタの画像表示領域３０２に画像を表示する（ステップＳ２３０６）。その後、第２の表示制御部１０８は、第２モニタ表示処理（ステップＳ２１０３）において、撮影種別を判定し（ステップＳ２４０１）、静止画像表示制御（ステップＳ２４０２）を行う。静止画像表示制御では、まずステップＳ２６０７で生成したサムネイルを３０４に表示する（ステップＳ２６０１）。次に表示切替モードであることを判定（ステップＳ２６０２）し、さらに表示状態がＭｕｌｔｉＶｉｅｗ以外であると判定する（ステップＳ２６０３）。最後に画像処理部１０６により静止画用の画像処理を適用（ステップ２６０４）した画像が３０３に表示される（ステップＳ２６０６）。
【００３１】
図４において、４０２は第２モニタの表示状態がＭｕｌｔｉＶｉｅｗ状態かつ表示切替モードであることを示しており、４０１には第１モニタに前回撮影された静止画（Ｒ７）が表示されている。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。撮影種別の判定（ステップＳ２２０４）により、画像記憶部１０５により画像を保存し（ステップＳ２２０５）、サムネイルを生成する（ステップＳ２２０７）。その後、第１モニタへ画像を表示する処理（ステップＳ２１０２）では、ステップＳ２３０１により撮影種別を判定後、画像処理部１０６により静止画用の画像処理を適用（ステップＳ２３０２）する。第１の表示制御部１０７は、ステップＳ２３０５により第２モニタの画像表示領域の大きさを取得し、第１モニタの画像表示領域４０３に画像を表示する（ステップＳ２３０６）。その後、第２の表示制御部１０８は、第２モニタ表示処理（ステップＳ２１０３）において、撮影種別を判定し（ステップＳ２４０１）、静止画像表示制御（ステップＳ２４０２）を行う。静止画像表示制御では、まずステップＳ２６０７で生成したサムネイルを４０５に表示する（ステップＳ２６０１）。次に表示切替モードであることを判定（ステップＳ２６０２）し、さらに表示状態がＭｕｌｔｉＶｉｅｗであると判定する（ステップＳ２６０３）。最後にステップＳ２６０７により撮影した静止画のサムネイルを４０４に表示する。前回までの撮影により第２モニタにはサムネイルを表示する領域がないため、自動的に画面をスクロールする（ステップＳ２６０８）。
【００３２】
図５において、５０２は第２モニタの表示状態がＦｒａｍｅＶｉｅｗ状態かつ表示切替モードであることを示している。５０１には第１モニタに前回撮影されたデジタルシネ画像（Ｃ１）が表示されており、第２モニタにはデジタルシネ画像（Ｃ１）の各フレームが表示されている。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。撮影種別の判定（ステップＳ２２０４）により、画像記憶部１０５により画像を保存し（ステップＳ２２０５）、サムネイルを生成する（ステップＳ２２０７）。その後、第１モニタへ画像を表示する処理（ステップＳ２１０２）では、ステップＳ２３０１により撮影種別を判定後、画像処理部１０６により静止画用の画像処理を適用（ステップＳ２３０２）する。第１の表示制御部１０７は、ステップＳ２３０５により第２モニタの画像表示領域の大きさを取得し、第１モニタの画像表示領域５０３に画像を表示する（ステップＳ２３０６）。その後、第２の表示制御部１０８は、第２モニタ表示処理（ステップＳ２１０３）において、撮影種別を判定し（ステップＳ２４０１）、静止画像表示制御（ステップＳ２４０２）を行う。静止画像表示制御では、まずステップＳ２６０７で生成したサムネイルを５０５に表示する（ステップＳ２６０１）。次に表示切替モードであることを判定（ステップＳ２６０２）し、さらに表示状態がＭｕｌｔｉＶｉｅｗ以外であると判定する（ステップＳ２６０３）の後、画像処理部１０６により静止画用の画像処理を適用（ステップ２６０４）した画像が５０４に表示される（ステップＳ２６０６）。
【００３３】
図６において、６０２は第２モニタの表示状態がＳｉｎｇｌｅＶｉｅｗ状態かつ表示固定モードであることを示しており、６０１には前回撮影されたデジタルシネ画像（Ｃ１）が表示されている。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。撮影種別の判定（ステップＳ２２０４）により、画像記憶部１０５により画像を保存し（ステップＳ２２０５）、サムネイルを生成する（ステップＳ２２０７）。その後、第１モニタへ画像を表示する処理（ステップＳ２１０２）では、ステップＳ２３０１により撮影種別を判定後、画像処理部１０６により静止画用の画像処理を適用（ステップＳ２３０２）する。第１の表示制御部１０７は、ステップＳ２３０５により第２モニタの画像表示領域の大きさを取得し、第１モニタの画像表示領域３０２に画像を表示する（ステップＳ２３０６）。その後、第２の表示制御部１０８は、第２モニタ表示処理（ステップＳ２１０３）において、撮影種別を判定し（ステップＳ２４０１）、静止画像表示制御（ステップＳ２４０２）を行う。静止画像表示制御では、まずステップＳ２６０７で生成したサムネイルを６０４に表示する（ステップＳ２６０１）。次に表示固定モードであることを判定（ステップＳ２６０２）し、表示固定処理（ステップＳ２６０９）内で、第２モニタの表示状態がＭｕｌｔｉＶｉｅｗ以外であることを判定（ステップＳ２９０１）することで前表示画像（Ｃ１）を維持する（ステップＳ２９０３）。これにより、参照用に表示固定したデジタルシネ画像（Ｃ１）を表示したまま、撮影を行うことが可能となる。
【００３４】
図７において、７０２は第２モニタの表示状態がＭｕｌｔｉＶｉｅｗ状態かつ表示固定モードであることを示しており、７０１には第１モニタに前回撮影された静止画（Ｒ７）が表示されている。７０４は参照用に表示固定している静止画（Ｒ７）である。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。撮影種別の判定（ステップＳ２２０４）により、画像記憶部１０５により画像を保存し（ステップＳ２２０５）、サムネイルを生成する（ステップＳ２２０７）。その後、第１モニタへ画像を表示する処理（ステップＳ２１０２）では、ステップＳ２３０１により撮影種別を判定後、画像処理部１０６により静止画用の画像処理を適用（ステップＳ２３０２）する。第１の表示制御部１０７は、ステップＳ２３０５により第２モニタの画像表示領域の大きさを取得し、第１モニタの画像表示領域４０３に画像を表示する（ステップＳ２３０６）。その後、第２の表示制御部１０８は、第２モニタ表示処理（ステップＳ２１０３）において、撮影種別を判定し（ステップＳ２４０１）、静止画像表示制御（ステップＳ２４０２）を行う。静止画像表示制御では、まずステップＳ２６０７で生成したサムネイルを７０５に表示する（ステップＳ２６０１）。次に表示固定モードであることを判定（ステップＳ２６０２）し、表示固定処理（ステップＳ２６０９）内で、第２モニタの表示状態がＭｕｌｔｉＶｉｅｗであることを判定（ステップＳ２９０１）後、第２モニタにサムネイルを表示（Ｒ８）する（ステップＳ２９０２）。ただし、表示固定モードであるため、表示固定した静止画（Ｒ７）の位置を変えないため、サムネイルは画面には現われない（７０６）。
【００３５】
図８において、８０２は第２モニタの表示状態がＦｒａｍｅＶｉｅｗ状態かつ表示固定モードであることを示している。８０１には第１モニタに前回撮影されたデジタルシネ画像（Ｃ１）が表示されており、第２モニタにはデジタルシネ画像（Ｃ１）の各フレームが表示されている。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。撮影種別の判定（ステップＳ２２０４）により、画像記憶部１０５により画像を保存し（ステップＳ２２０５）、サムネイルを生成する（ステップＳ２２０７）。その後、第１モニタへ画像を表示する処理（ステップＳ２１０２）では、ステップＳ２３０１により撮影種別を判定後、画像処理部１０６により静止画用の画像処理を適用（ステップＳ２３０２）する。第１の表示制御部１０７は、ステップＳ２３０５により第２モニタの画像表示領域の大きさを取得し、第１モニタの画像表示領域８０４に画像を表示する（ステップＳ２３０６）。その後、第２の表示制御部１０８は、第２モニタ表示処理（ステップＳ２１０３）において、撮影種別を判定し（ステップＳ２４０１）、静止画像表示制御（ステップＳ２４０２）を行う。静止画像表示制御では、まずステップＳ２６０７で生成したサムネイルを８０６に表示する（ステップＳ２６０１）。次に表示固定モードであることを判定（ステップＳ２６０２）し、表示固定処理（ステップＳ２６０９）内で、第２モニタの表示状態がＭｕｌｔｉＶｉｅｗ以外であることを判定（ステップＳ２９０１）することで前表示画像（Ｃ１）を維持する（ステップＳ２９０３）。これにより、参照用に表示固定したデジタルシネ画像（Ｃ１）を表示したまま、撮影を行うことが可能となる。
【００３６】
次に、デジタルシネ撮影する場合の動作を説明する。
【００３７】
図９において、１００２は第２モニタの表示状態がＳｉｎｇｌｅＶｉｅｗ状態かつ表示切替モードであることを示している。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。撮影種別の判定（ステップＳ２２０４）により、画像記憶部１０５により画像を保存し（ステップＳ２２０６）、ＬＩＨ画像のサムネイルを生成する（ステップＳ２２０８）。その後、第１モニタへ画像を表示する処理（ステップＳ２１０２）では、ステップＳ２３０１により撮影種別を判定後、画像処理部１０６によりデジタルシネ用の画像処理を適用（ステップＳ２３０３）する。第１の表示制御部１０７は、ステップＳ２３０５により第２モニタの画像表示領域の大きさを取得し、第１モニタの画像表示領域３０２に画像を表示する（ステップＳ２３０６）。その後、第２の表示制御部１０８は、第２モニタ表示処理（ステップＳ２１０３）において、撮影種別を判定し（ステップＳ２４０１）、デジタルシネ画像表示制御（ステップＳ２４０３）を行う。デジタルシネ画像表示制御では、まずステップＳ２６０８で生成したサムネイルを９０４に表示する（ステップＳ２７０１）。次に表示切替モードであることを判定（ステップＳ２７０２）し、さらに表示状態がＳｉｎｇｌｅＶｉｅｗであると判定する（ステップＳ２７０３）。最後に画像処理部１０６によりデジタルシネ用の画像処理を適用（ステップ２７０５）した画像が９０３に表示される（ステップＳ２７０６）。
【００３８】
図１０において、１００２は第２モニタの表示状態がＭｕｌｔｉＶｉｅｗ状態かつ表示切替モードであることを示しており、１００１には第１モニタに前回撮影された静止画（Ｒ７）が表示されている。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。撮影種別の判定（ステップＳ２２０４）により、画像記憶部１０５により画像を保存し（ステップＳ２２０５）、サムネイルを生成する（ステップＳ２２０７）。その後、第１モニタへ画像を表示する処理（ステップＳ２１０２）では、ステップＳ２３０１により撮影種別を判定後、画像処理部１０６によりデジタルシネ用の画像処理を適用（ステップＳ２３０）する。第１の表示制御部１０７は、ステップＳ２３０５により第２モニタの画像表示領域の大きさを取得し、第１モニタの画像表示領域１００３に画像を表示する（ステップＳ２３０６）。その後、第２の表示制御部１０８は、第２モニタ表示処理（ステップＳ２１０３）において、撮影種別を判定し（ステップＳ２４０１）、デジタルシネ画像表示制御（ステップＳ２４０３）を行う。デジタルシネ画像表示制御では、まずステップＳ２６０８で生成したサムネイルを１００５に表示する（ステップＳ２７０１）。次に表示切替モードであることを判定（ステップＳ２７０２）し、さらに表示状態がＭｕｌｔｉＶｉｅｗであると判定する（ステップＳ２７０３）。最後にステップＳ２７０７により撮影したデジタルシネのＬＩＨ画像のサムネイルを１００４に表示する。前回までの撮影により第２モニタにはサムネイルを表示する領域がないため、自動的に画面をスクロールする（ステップＳ２７０８）。
【００３９】
図１１において、１１０２は第２モニタの表示状態がＦｒａｍｅＶｉｅｗ状態かつ表示切替モードであることを示しており、１１０１には第１モニタに前回撮影されたデジタルシネ画像（Ｃ１）が表示されおり、第２モニタにはデジタルシネ画像（Ｃ１）の各フレームが表示されている。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。撮影種別の判定（ステップＳ２２０４）により、画像記憶部１０５により画像を保存し（ステップＳ２２０５）、サムネイルを生成する（ステップＳ２２０７）。その後、第１モニタへ画像を表示する処理（ステップＳ２１０２）では、ステップＳ２３０１により撮影種別を判定後、画像処理部１０６によりデジタルシネ用の画像処理を適用（ステップＳ２３０）する。第１の表示制御部１０７は、ステップＳ２３０５により第２モニタの画像表示領域の大きさを取得し、第１モニタの画像表示領域１１０３に画像を表示する（ステップＳ２３０６）。その後、第２の表示制御部１０８は、第２モニタ表示処理（ステップＳ２１０３）において、撮影種別を判定し（ステップＳ２４０１）、デジタルシネ画像表示制御（ステップＳ２４０３）を行う。デジタルシネ画像表示制御では、まずステップＳ２６０８で生成したサムネイルを１１０５に表示する（ステップＳ２７０１）。次に表示切替モードであることを判定（ステップＳ２７０２）し、さらに表示状態がＦｒａｍｅＶｉｅｗであると判定する（ステップＳ２７０３）。最後に、全フレームのサムネイルを生成（ステップＳ２７０９）し、第二モニタの画像表示領域に全フレームをサムネイル表示（１１０４）する。
【００４０】
図１２において、１２０２は第２モニタの表示状態がＳｉｎｇｌｅＶｉｅｗ状態かつ表示固定モードであることを示しており、１２０１には前回撮影されたデジタルシネ画像（Ｃ１）が表示されている。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。撮影種別の判定（ステップＳ２２０４）により、画像記憶部１０５により画像を保存し（ステップＳ２２０６）、ＬＩＨ画像のサムネイルを生成する（ステップＳ２２０８）。その後、第１モニタへ画像を表示する処理（ステップＳ２１０２）では、ステップＳ２３０１により撮影種別を判定後、画像処理部１０６によりデジタルシネ用の画像処理を適用（ステップＳ２３０３）する。第１の表示制御部１０７は、ステップＳ２３０５により第２モニタの画像表示領域の大きさを取得し、第１モニタの画像表示領域１２０３に画像を表示する（ステップＳ２３０６）。その後、第２の表示制御部１０８は、第２モニタ表示処理（ステップＳ２１０３）において、撮影種別を判定し（ステップＳ２４０１）、デジタルシネ画像表示制御（ステップＳ２４０３）を行う。デジタルシネ画像表示制御では、まずステップＳ２６０８で生成したサムネイルを１２０４に表示する（ステップＳ２７０１）。次に表示固定モードであることを判定（ステップＳ２７０２）し、表示固定処理（ステップＳ２７０４）内で、第２モニタの表示状態がＭｕｌｔｉＶｉｅｗ以外であることを判定（ステップＳ２９０１）することで前表示画像（Ｃ１）を維持する（ステップＳ２９０３）。これにより、参照用に表示固定したデジタルシネ画像（Ｃ１）を表示したまま、撮影を行うことが可能となる。
【００４１】
図１３において、１３０２は第２モニタの表示状態がＭｕｌｔｉＶｉｅｗ状態かつ表示固定モードであることを示しており、１３０１には第１モニタに前回撮影された静止画（Ｒ７）が表示されている。１３０３は参照用に表示固定している静止画（Ｒ７）である。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。撮影種別の判定（ステップＳ２２０４）により、画像記憶部１０５により画像を保存し（ステップＳ２２０５）、サムネイルを生成する（ステップＳ２２０７）。その後、第１モニタへ画像を表示する処理（ステップＳ２１０２）では、ステップＳ２３０１により撮影種別を判定後、画像処理部１０６によりデジタルシネ用の画像処理を適用（ステップＳ２３０）する。第１の表示制御部１０７は、ステップＳ２３０５により第２モニタの画像表示領域の大きさを取得し、第１モニタの画像表示領域１３０４に画像を表示する（ステップＳ２３０６）。その後、第２の表示制御部１０８は、第２モニタ表示処理（ステップＳ２１０３）において、撮影種別を判定し（ステップＳ２４０１）、デジタルシネ画像表示制御（ステップＳ２４０３）を行う。デジタルシネ画像表示制御では、まずステップＳ２６０８で生成したサムネイルを１３０５に表示する（ステップＳ２７０１）。次に表示固定モードであることを判定（ステップＳ２７０２）し、表示固定処理（ステップＳ２７０４）内で、第２モニタの表示状態がＭｕｌｔｉＶｉｅｗであることを判定（ステップＳ２９０１）後、第２モニタにサムネイルを表示（Ｃ３）する（ステップＳ２９０２）。ただし、表示固定モードであるため、表示固定した静止画（Ｒ７）の位置を変えないため、サムネイルは画面には現われない（１３０６）。
【００４２】
図１４において、１４０２は第２モニタの表示状態がＦｒａｍｅＶｉｅｗ状態かつ表示固定モードであることを示しており、１４０１には第１モニタに前回撮影されたデジタルシネ画像（Ｃ１）が表示されおり、第２モニタにはデジタルシネ画像（Ｃ１）の各フレームが表示されている。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。撮影種別の判定（ステップＳ２２０４）により、画像記憶部１０５により画像を保存し（ステップＳ２２０５）、サムネイルを生成する（ステップＳ２２０７）。その後、第１モニタへ画像を表示する処理（ステップＳ２１０２）では、ステップＳ２３０１により撮影種別を判定後、画像処理部１０６によりデジタルシネ用の画像処理を適用（ステップＳ２３０）する。第１の表示制御部１０７は、ステップＳ２３０５により第２モニタの画像表示領域の大きさを取得し、第１モニタの画像表示領域１４０３に画像を表示する（ステップＳ２３０６）。その後、第２の表示制御部１０８は、第２モニタ表示処理（ステップＳ２１０３）において、撮影種別を判定し（ステップＳ２４０１）、デジタルシネ画像表示制御（ステップＳ２４０３）を行う。デジタルシネ画像表示制御では、まずステップＳ２６０８で生成したサムネイルを１１０５に表示する（ステップＳ２７０１）。次に表示固定モードであることを判定（ステップＳ２７０２）し、表示固定処理（ステップＳ２７０４）内で、第２モニタの表示状態がＭｕｌｔｉＶｉｅｗ以外であることを判定（ステップＳ２９０１）することで前表示画像（Ｃ１）を維持する（ステップＳ２９０３）。
【００４３】
次に、透視を行う場合の動作を説明する。
【００４４】
図１５において、１５０１は第２モニタの表示状態がＳｉｎｇｌｅＶｉｅｗ状態かつ表示切替モードであることを示している。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。その後、第１モニタへ画像を表示する処理（ステップＳ２１０２）では、ステップＳ２３０１により撮影種別を判定後、画像処理部１０６により透視用の画像処理を適用（ステップＳ２３０４）する。第１の表示制御部１０７は、ステップＳ２３０５により第２モニタの画像表示領域の大きさを取得し、第１モニタの画像表示領域１５０２に画像を表示する（ステップＳ２３０６）。その後、第２の表示制御部１０８は、第２モニタ表示処理（ステップＳ２１０３）において、撮影種別を判定し（ステップＳ２４０１）、透視画像保存用ボタン１５０３を表示し（ステップＳ２４０４）、第２モニタには、透視をトリガにして画像を表示しない。
【００４５】
また、操作者により透視画像の保存操作が行われた場合、透視画像保存処理（ステップＳ２１０４）において、撮影種別を判定し（ステップＳ２５０１）、保存操作の有無を確認し、操作者の操作が透視保存であれば、画像記憶部１０５は予め定められたフレーム数分の透視画像を保存する（ステップＳ２５０３）。また、第２の表示制御部１０８は、と透視画像保存用ボタン１５０３を非表示にする。これは、保存可能な透視画像を保存した後は、ボタンが不要であるためである。操作者により行われた透視画像の保存操作がＬＩＨ保存であれば、画像記憶部１０５は透視のＬＩＨ画像を保存する（ステップＳ２０５４）するが、操作者がすべての透視画像を保存する可能性があるため、透視画像保存用ボタン１５０３は表示しておく。さらに、透視画像保存用ボタン１５０３を他のＧＵＩ部分と分けて表示しているのは、第２モニタに別の画像を表示している場合に、第２のモニタに表示している画像に対する操作ではないことを示すためである。また、この透視画像保存用ボタンの表示位置は操作者の好みに応じて自由に変更しても構わない。画像保存後は、透視ＬＩＨ画像のサムネイルを生成（ステップＳ２５０６）する。
【００４６】
尚、以後の説明においては、透視画像保存処理（ステップＳ２１０４）の透視画像表示制御（ステップＳ２５０７）は同じであるため、省略する。
【００４７】
その後、第２の表示制御部１０８は、透視画像表示制御（ステップＳ２５０７）を行う。透視画像表示制御では、まずステップＳ２５０６で生成したサムネイルを１５０５に表示する（ステップＳ２８０１）。次に表示切替モードであることを判定（ステップＳ２８０２）し、さらに表示状態がＳｉｎｇｌｅＶｉｅｗであると判定する（ステップＳ２８０３）。最後に画像処理部１０６により透視用の画像処理を適用（ステップ２８０５）した画像が１５０４に表示される（ステップＳ２７０６）。
【００４８】
図１６において、１６０１は第２モニタの表示状態がＭｕｌｔｉＶｉｅｗ状態かつ表示切替モードであることを示している。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。その後、第１モニタへ画像を表示する処理（ステップＳ２１０２）では、ステップＳ２３０１により撮影種別を判定後、画像処理部１０６により透視用の画像処理を適用（ステップＳ２３０４）する。第１の表示制御部１０７は、ステップＳ２３０５により第２モニタの画像表示領域の大きさを取得し、第１モニタの画像表示領域１６０２に画像を表示する（ステップＳ２３０６）。その後、第２の表示制御部１０８は、第２モニタ表示処理（ステップＳ２１０３）において、撮影種別を判定し（ステップＳ２４０１）、透視画像保存用ボタン１５０３を表示し（ステップＳ２４０４）、第２モニタには、透視をトリガにして画像を表示しない。
【００４９】
透視保存操作の後、第２の表示制御部１０８は、透視画像表示制御（ステップＳ２５０７）を行う。透視画像表示制御では、まずステップＳ２５０６で生成したサムネイルを１６０５に表示する（ステップＳ２８０１）。次に表示切替モードであることを判定（ステップＳ２８０２）し、さらに表示状態がＭｕｌｔｉＶｉｅｗであると判定する（ステップＳ２８０３）。最後にステップＳ２８０７により撮影した透視のＬＩＨ画像のサムネイルを１６０４に表示する。前回までの撮影により第２モニタにはサムネイルを表示する領域がないため、自動的に画面をスクロールする（ステップＳ２８０８）。
【００５０】
図１７において、１７０１は第２モニタの表示状態がＦｒａｍｅＶｉｅｗ状態かつ表示切替モードであることを示している。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。その後、第１モニタへ画像を表示する処理（ステップＳ２１０２）では、ステップＳ２３０１により撮影種別を判定後、画像処理部１０６により透視用の画像処理を適用（ステップＳ２３０４）する。第１の表示制御部１０７は、ステップＳ２３０５により第２モニタの画像表示領域の大きさを取得し、第１モニタの画像表示領域１７０２に画像を表示する（ステップＳ２３０６）。その後、第２の表示制御部１０８は、第２モニタ表示処理（ステップＳ２１０３）において、撮影種別を判定し（ステップＳ２４０１）、透視画像保存用ボタン１７０３を表示し（ステップＳ２４０４）、第２モニタには、透視をトリガにして画像を表示しない。
【００５１】
透視保存操作の後、第２の表示制御部１０８は、透視画像表示制御（ステップＳ２５０７）を行う。透視画像表示制御では、まずステップＳ２５０６で生成したサムネイルを１７０５に表示する（ステップＳ２８０１）。次に表示切替モードであることを判定（ステップＳ２８０２）し、さらに表示状態がＭｕｌｔｉＶｉｅｗであると判定する（ステップＳ２８０３）。最後に、全フレームのサムネイルを生成（ステップＳ２８０９）し、第二モニタの画像表示領域に全フレームをサムネイル表示（１７０４）する。
【００５２】
図１８において、１８０１は第２モニタの表示状態がＳｉｎｇｌｅＶｉｅｗ状態かつ表示固定モードであることを示している。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。その後、第１モニタへ画像を表示する処理（ステップＳ２１０２）では、ステップＳ２３０１により撮影種別を判定後、画像処理部１０６により透視用の画像処理を適用（ステップＳ２３０４）する。第１の表示制御部１０７は、ステップＳ２３０５により第２モニタの画像表示領域の大きさを取得し、第１モニタの画像表示領域１８０２に画像を表示する（ステップＳ２３０６）。その後、第２の表示制御部１０８は、第２モニタ表示処理（ステップＳ２１０３）において、撮影種別を判定し（ステップＳ２４０１）、透視画像保存用ボタン１８０３を表示し（ステップＳ２４０４）、第２モニタには、透視をトリガにして画像を表示しない。
【００５３】
透視保存操作の後、第２の表示制御部１０８は、透視画像表示制御（ステップＳ２５０７）を行う。透視画像表示制御では、まずステップＳ２５０６で生成したサムネイルを１８０５に表示する（ステップＳ２８０１）。次に表示固定モードであることを判定（ステップＳ２８０２）し、表示固定処理（ステップＳ２７０４）内で、第２モニタの表示状態がＭｕｌｔｉＶｉｅｗ以外であることを判定（ステップＳ２９０１）することで前表示画像（Ｃ１）を維持する（ステップＳ２９０３）。これにより、参照用に表示固定したデジタルシネ画像（Ｃ１）を表示したまま、透視を行うことが可能となる。
【００５４】
図１９において、１９０１は第２モニタの表示状態がＭｕｌｔｉＶｉｅｗ状態かつ表示固定モードであることを示している。１９０２は参照用に表示固定している静止画（Ｒ７）である。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。その後、第１モニタへ画像を表示する処理（ステップＳ２１０２）では、ステップＳ２３０１により撮影種別を判定後、画像処理部１０６により透視用の画像処理を適用（ステップＳ２３０４）する。第１の表示制御部１０７は、ステップＳ２３０５により第２モニタの画像表示領域の大きさを取得し、第１モニタの画像表示領域１９０３に画像を表示する（ステップＳ２３０６）。その後、第２の表示制御部１０８は、第２モニタ表示処理（ステップＳ２１０３）において、撮影種別を判定し（ステップＳ２４０１）、透視画像保存用ボタン１９０３を表示し（ステップＳ２４０４）、第２モニタには、透視をトリガにして画像を表示しない。
【００５５】
透視保存操作の後、第２の表示制御部１０８は、透視画像表示制御（ステップＳ２５０７）を行う。透視画像表示制御では、まずステップＳ２５０６で生成したサムネイルを１９０５に表示する（ステップＳ２８０１）。次に表示固定モードであることを判定（ステップＳ２８０２）し、表示固定処理（ステップＳ２７０４）内で、第２モニタの表示状態がＭｕｌｔｉＶｉｅｗであることを判定（ステップＳ２９０１）後、第２モニタにサムネイルを表示（Ｆ３）する（ステップＳ２９０２）。ただし、表示固定モードであるため、表示固定した静止画（Ｒ７）の位置を変えないため、サムネイルは画面には現われない（１９０４）。
【００５６】
図２０において、２００１は第２モニタの表示状態がＦｒａｍｅＶｉｅｗ状態かつ表示固定モードであることを示している。透視撮影制御部１０４により透視撮影準備（ステップＳ２１００）が行われ、透視撮影処理（ステップＳ２１０１）では、Ｘ線が照射される（ステップＳ２２０１）とＸ線取得部１０３によりＸ線画像が取得される（ステップＳ２２０３）。その後、第１モニタへ画像を表示する処理（ステップＳ２１０２）では、ステップＳ２３０１により撮影種別を判定後、画像処理部１０６により透視用の画像処理を適用（ステップＳ２３０４）する。第１の表示制御部１０７は、ステップＳ２３０５により第２モニタの画像表示領域の大きさを取得し、第１モニタの画像表示領域１７０２に画像を表示する（ステップＳ２３０６）。その後、第２の表示制御部１０８は、第２モニタ表示処理（ステップＳ２１０３）において、撮影種別を判定し（ステップＳ２４０１）、透視画像保存用ボタン２００３を表示し（ステップＳ２４０４）、第２モニタには、透視をトリガにして画像を表示しない。
【００５７】
透視保存操作の後、第２の表示制御部１０８は、透視画像表示制御（ステップＳ２５０７）を行う。透視画像表示制御では、まずステップＳ２５０６で生成したサムネイルを２００４に表示する（ステップＳ２８０１）。次に表示固定モードであることを判定（ステップＳ２８０２）し、表示固定処理（ステップＳ２７０４）内で、第２モニタの表示状態がＭｕｌｔｉＶｉｅｗ以外であることを判定（ステップＳ２９０１）することで前表示画像（Ｃ１）を維持する（ステップＳ２９０３）。
【００５８】
［実施例２］
図３０には、実施例１とは異なる実施の形態に係るＸ線透視撮影装置の概略構成が示されている。
【００５９】
実施例１との相違点は、制御部を第１の制御部３０００と第２の制御部３００７とに分けたことにある。第２の制御部は実施例１と同じ一般的なＰＣなどから構成されるが、第１の制御部は、高信頼性なリアルタイムＯＳ等を搭載した構成としている。これにより、第１のモニタには贅沢なＧＵＩを表示することができにくくなる反面、仮に第２の制御部に異常が発生しても、透視だけは行うことができ、より堅牢性が高いシステム構成が可能となる。
【００６０】
他の構成要素は、実施例１と同じであるため説明を省略する。
【００６１】
［実施例３］
上述の実施形態での処理に加えて、第１モニタの静止画像処理と第２モニタの静止画像処理とで異なる処理を行うことができる。この実施形態では、上述の実施形態と同様に、第一のモニタ３０１５と第二のモニタ３０１６とをそれぞれ第一の制御部（放射線撮影制御装置）３００２および第二の制御部（放射線撮影制御装置）３００７で制御する。また、Ｘ線画像取得部３００３および３００８で動画画像及び静止画像を撮影後直ちに放射線検出器から取得する。第一の表示制御部３００７は、動画撮影が開始されることに応じて、リアルタイムで取得される動画画像を第一のモニタ３０１５に表示させる。また第二の表示制御部３０１２は、透視画像の撮影に際して参照が必要な場合には、操作部３０１３からの操作入力に応じて参照用の静止画像または動画像を第二のモニタ３０１６に表示させる。これら静止画像及び動画像は、不図示のデータベースまたは放射線撮影制御装置の画像記憶部３０１０から取得される。また、第一の表示制御部３００６は、静止画撮影が実行されることに応じて、当該静止画撮影で得られる静止画像の低解像度画像を第一のモニタ３０１５に表示させる。かかる低解像度画像は、画像処理部３００４がＸ線検出器３００１で撮影により得られた静止画像からビニング処理または間引き処理を行って画素数を減らした低解像度画像に対して特定の画像処理を行い生成される。低解像度画像を第１のモニタ３０１５に表示させることで、撮影から表示までの時間差を短縮することができる。
【００６２】
画像処理部３００４はＸ線画像取得部３００３が画像を取得したことに応じて画像処理を開始する。画像処理部３００４による低解像度画像の生成が終了することに応じて、第１の表示制御部３００６は第一のモニタ３０１５に低解像度画像を表示させる。このように、画素数を減らした画像を画像処理部３００４で処理することにより、画像処理に要する時間を短縮し、Ｘ線照射から画像が表示されるまでの時間の遅延を短縮させることができる。なお、Ｘ線検出器３００１から間引かれた画像またはビニングされた画像をＸ線画像取得部３００３で取得することで、全画像を受信する場合に比べて転送に要する時間を短縮することができる。また、低解像度画像について、ビニング処理によりある程度のノイズが低減されるため、必要に応じて低解像度画像に適用する画像処理を選択することができる。場合によっては、オフセット補正、ゲイン補正、欠陥画素補正など最低限の画像処理のみを行うこととしたり、処理前の画像を表示させたりすることで、表示までの遅延を短縮させることができる。
【００６３】
画像処理部３００４が低解像度画像に対する処理を終えた後、第二の表示制御部３０１２は、撮影された静止画像を第二のモニタ３０１６に表示させる。このようにすることで、解像度を下げる前の全画像を表示させることができるため、詳細な診断を可能とする。この撮影された静止画像には、画像処理部３０１１により詳細な画像処理を適用することで、診断精度をより向上させることができる。
【００６４】
これら処理はまた、例えば胃透視検査においては透視中に静止画撮影を行い、すぐに透視に戻る操作が要求されることに対応するものである。
【００６５】
例えば、図３１に示すように、第１モニタ静止画像処理では、画像サイズを特定の大きさに間引き（ステップＳ３１０１）、ダイナミックレンジ調整（ステップＳ３１０２）、階調処理（ステップＳ３１０３）を行い、第１モニタの静止画像処理では、時間がかかるグリッド縞低減処理や鮮鋭度処理を行わない。
【００６６】
一方、第２モニタ静止画像処理では、グリッド縞低減処理（ステップＳ３１０４）、鮮鋭度強調処理（ステップＳ３１０５）、画像表示領域に合わせてフル画像を縮小し（ステップＳ３１０６）、ダイナミックレンジ調整処理（ステップＳ３１０７）、階調処理（ステップＳ３１０８）を行う。
【００６７】
このようにすれば、すぐに透視操作へ戻ることができ、次の透視中に第２モニタにおいて、高画質な画像を確認しながら検査を行うことが可能となる。
【００６８】
また別の実施形態として、画像処理部１０６が、静止画に限らず、透視やデジタルシネにおいても第１モニタと第２モニタで画像処理のレベルを変えることができる。これにより、第１モニタの表示画像では、撮影から表示までの時間をできるだけ短縮することを優先させ、第２モニタの表示画像では、診断精度を向上させることを優先して詳細な画像処理を適用することができる。
【符号の説明】
【００６９】
１００  Ｘ線発生装置
１０１  Ｘ線検出部
１０２  透視撮影制御部
１０３  制御部
１０４  Ｘ線画像取得部
１０５  画像記憶部
１０６  画像処理部
１０７  第１の表示制御部
１０８  第２の表示制御部
１０９  操作部
１１０  表示部
１１１  第１のモニタ
１１２  第２のモニタ
【図１】
0006347866.tif 000002
【図２】
0006347866.tif 000003
【図３】
0006347866.tif 000004
【図４】
0006347866.tif 000005
【図５】
0006347866.tif 000006
【図６】
0006347866.tif 000007
【図７】
0006347866.tif 000008
【図８】
0006347866.tif 000009
【図９】
0006347866.tif 000010
【図１０】
0006347866.tif 000011
【図１１】
0006347866.tif 000012
【図１２】
0006347866.tif 000013
【図１３】
0006347866.tif 000014
【図１４】
0006347866.tif 000015
【図１５】
0006347866.tif 000016
【図１６】
0006347866.tif 000017
【図１７】
0006347866.tif 000018
【図１８】
0006347866.tif 000019
【図１９】
0006347866.tif 000020
【図２０】
0006347866.tif 000021
【図２１】
0006347866.tif 000022
【図２２】
0006347866.tif 000023
【図２３】
0006347866.tif 000024
【図２４】
0006347866.tif 000025
【図２５】
0006347866.tif 000026
【図２６】
0006347866.tif 000027
【図２７】
0006347866.tif 000028
【図２８】
0006347866.tif 000029
【図２９】
0006347866.tif 000030
【図３０】
0006347866.tif 000031
【図３１】
0006347866.tif 000032
【図３２】
0006347866.tif 000033